(57)【要約】 【課題】  本発明は、袋体内に商品を封入した際に袋体内の不要な気体や液体などを排出可能な排気構造付袋体であって、更に袋体内の商品の外部への排出を防止すると共に極めて微細な粉体類の排出をも防ぐことのできる気構造付袋体の提供を課題とする。【解決手段】  係る課題を解決するため、袋体の一辺部に表裏フィルム間に不織布を挟み込んで融着すると共に内部から外部に連通する導通路を有し、不織布は二つに折り込んでフィルム間に挟んでこの折り込み部を袋体内部に融着せずに突出位置し、この部分内側と袋体の融着部との間に非融着部の袋体内導通路を有し、これが導通路に連通して袋体内部の気体や液体を袋体内部から外部に排出することのできる排気構造付袋体を提供するものである。【選択図】    図１
2009023683.tif 000002
【特許請求の範囲】
【請求項１】
表裏のプラスチックフィルムからなる袋体の少なくとも一辺部に、該表裏となるプラスチックフィルム間に不織布６を挟み込んで該一辺部を融着すると共に該一辺部に袋体内部から外部に連通する非融着部からなる導通路を少なくとも二列以上有する袋体において
該不織布６は二つに折り込み又は折り曲げた状態で表裏のプラスチックフィルム間に挟まれると共に不織布６の該折り込み又は折り曲げ部分６１は袋体内部方向に突出して位置し、表裏のプラスチックフィルムとは融着せず、
更に折り込み又は折り曲げ部分６１の内側と袋体の該一辺の融着部との間にできている折り曲げ又は折り込み部に沿った非融着部からなる袋体内導通路６２を有するものであり、
該折り曲げ又は折り込み部６１に沿った非融着部からなる袋体内導通路６２は更に袋体内部から外部に連通する非融着部からなる導通路に連通し、
袋体内部の気体や液体を該不織布６の折り曲げ又は折り込み部に沿った非融着部を通過し、該非融着部からなる袋体内導通路６２と袋体内部から外部に連通する非融着部からなる導通路とから袋体外部に排出可能としたことを特徴とする排気構造付袋体。
【請求項２】
袋体の該一辺で不織布６とその不織布６の外側に位置するプラスチックフィルムとがそれぞれ融着し、不織布６、６同士が非融着部からなる導通路を構成したことを特徴とする請求項１記載の排気構造付袋体。
【請求項３】
不織布６を挟み込む一辺部が袋体の上辺部３０であることを特徴とする請求項１又は２のいずれかに記載の排気構造付袋体。
【請求項４】
上辺部に取っ手３９の孔を有し、少なくとも該孔の周囲がプラスチックフィルムと不織布６の融着部３２によって構成することを特徴とする請求項１乃至３のいずれかに記載の排気構造付袋体。
【請求項５】
不織布６を挟み込む一辺部が袋体の側辺部４０であることを特徴とする請求項１又は２のいずれかに記載の排気構造付袋体。
【請求項６】
不織布６を挟み込む一辺部が袋体の底辺部５０であることを特徴とする請求項１又は２のいずれかに記載の排気構造付袋体。
【請求項７】
袋体内部から外部に連通する非融着部からなる導通路を略直線状に構成した請求項１乃至６のいずれかに記載の排気構造付袋体。
【請求項８】
袋体内部から外部に連通する非融着部からなる導通路を略曲線状に構成した請求項１乃至６のいずれかに記載の排気構造付袋体。
【請求項９】
袋体内部から外部に連通する非融着部からなる導通路を屈曲状に構成した請求項１乃至６のいずれかに記載の排気構造付袋体。
【発明の詳細な説明】
【技術分野】
【０００１】
本発明は、袋体内の空気等を排出可能とする排気構造付袋体に関する。
【背景技術】
【０００２】
従来より、各種商品類を樹脂製の袋体内に収納して保管・運搬、更には販売等を行っているものである。
従って、各種樹脂製のフィルムをもって構成する袋体内に商品を入れることは各種業種に亘って多用されているものである。
この場合、袋体内に収納すべき各種商品類は、袋体内に入れた状態で保管や運搬などされるものであるが、袋体内に収納した後に開口部を封鎖すると、どうしても袋体内に気体類例えば空気が残ってしまうものである。
【０００３】
このことは、例えば袋体を重ねて保管する場合に不必要な嵩を有してしまうこととなり、袋体が空気等の気体によって膨らんだ膨らみ部分が安定せずに上部に積んだ荷物の重量によってぐらつくこととなってしまう。
従って、重ねて保管する場合や移動する場合に積み重ね状態がぐらつき極めて不安定となってしまう。
さらには、空気などの本来全く不必要な要素によって、袋体の嵩が増え保管や運搬に際して必要以上の手間や場所等を必要とするものである。
又、これらは気体に限らず、例えば液体などであっても同様である。
【０００４】
従って、これらの袋体内に商品を封入する際には、袋体内の空気や液体などを極力排出した状態で封鎖することが必要であった。
このため、例えば袋体内に商品を収納した時点で、袋体の周囲を押さえて不必要に気体を外部に排出した状態で袋体の開口部を封鎖することが必要となっていた。
さらには袋体に排気を行なうための逆止弁を構造的に別途有する袋体も使用されている。
或いは、特開平１０−２４９６８号（特許文献１）に示す飲食料品収納袋がある。
【特許文献１】特開平１０−２４９６８号
【発明の開示】
【発明が解決しようとする課題】
【０００５】
以上の様に、樹脂製のフィルム地からなる袋体内に商品を封入するに際して、内部の空気などを排気するものとして前記構成のものがあるが、まず袋体内に入った空気を袋体の開口部を封鎖する時点で排気するのは、極めて手間が係るばかりでなく、空気の残留は極めて多く、所期の排気効果を達することは殆んどできないものであった。
例えば排気装置を用いて行なうことによっては域効率を高めることは可能であるが、この様な構造は極めて高価な機器を必要とし、さらには機器のある場所でないと作業が行なえないこととなってしまう。
【０００６】
又、逆止弁機構等を別途製造し、これを袋体に配設して排気を可能とする袋体もあるが、逆止弁機構自体が嵩張ってしまうものや高価なもの、或いはその袋体への取り付けの手間が係る等各種の弊害を有するものである。
さらに特許文献１に示す飲食料品収納袋は、不織布を用いて排気孔部を設ける点で極めて有用であり、画期的である。
しかし、本構成においては不織布を間に挟みこんだ構成であって、不織布の布地自体をもって通気や排気或いは水分の排出を行なうものである。
従って、きめの細かい不織布の布地内を抜けると共に一定の長さを有し独特の形状よりなる排気孔部を通り抜けることによって初めて排気できるものであり、袋体内の空気等を排出するためには長時間の排出工程を必要とし、更には効率のよい排気は難しいものである。
【０００７】
又、水分等においては布地内に浸透して外部に排出する等のことまではできす、袋体内の液体類の排出はほぼ無理であった。
さらに、通気制御部を必要とし、独特の形状よりなる排気孔部を必要とすることから、製造段階において極めて手間が係り、製造コストが高くなるものであった。
併せて、独特の形状よりなる排気孔部構成によって、袋体内の空気の排出を阻害する要素となること、即ち排気孔部が屈曲して構成されていることから袋体の各方向への折れ曲がりなどによって簡単に封鎖されてしまうものとなり、排気を阻害するものとなっていた。
即ち排気孔部は非溶着部であり、強度が弱いものであるが、この排気口部が一方向ではなく屈曲して複数方向に向かって構成されているものであると共に一定の幅を有する構成となってしまうものである。
【０００８】
このことは、袋体のこの部分の強度が周囲に比較して弱いものであって折れ曲がりやすいこととなり、幅広にかつ複数方向に亘って非溶着部を有すること、及びこの排気孔部を多数箇所に有することから、この袋体の該辺の部分は多数方向に折れ曲がりやすいものとなってしまう。
この折れ曲がりは排気孔の封鎖を行なうこととなってしまい、効率的な排気を阻害するものである。
さらには、該袋体自体を運搬等する際或いは販売時の持ち帰り時などにおいて、重量を有する該袋体を持ち運びやすくすると共に袋体自体の構成をしっかり維持できる何らかの構成が望まれているものである。
【課題を解決するための手段】
【０００９】
以上より、係る各課題を解決するために請求項１に係る発明は表裏のプラスチックフィルムからなる袋体の少なくとも一辺部に、該表裏となるプラスチックフィルム間に不織布を挟み込んで該一辺部を融着すると共に該一辺部に袋体内部から外部に連通する非融着部からなる導通路を少なくとも二列以上有する袋体において、該不織布は二つに折り込み又は折り曲げた状態で表裏のプラスチックフィルム間に挟まれると共に不織布の該折り込み又は折り曲げ部分は袋体内部方向に突出して位置し、表裏のプラスチックフィルムとは融着せず、更に折り込み又は折り曲げ部分の内側と袋体の該一辺の融着部との間にできている折り曲げ又は折り込み部に沿った非融着部からなる袋体内導通路を有するものであり、該折り曲げ又は折り込み部に沿った非融着部からなる袋体内導通路は更に袋体内部から外部に連通する非融着部からなる導通路に連通し、袋体内部の気体や液体を該不織布の折り曲げ又は折り込み部に沿った非融着部を通過し、該非融着部からなる袋体内導通路と袋体内部から外部に連通する非融着部からなる導通路とから袋体外部に排出可能とした排気構造付袋体からなり、係る発明によって前記課題を解決できる。
【００１０】
又、請求項２に係る発明は、袋体の該一辺で不織布とその不織布の外側に位置するプラスチックフィルムとがそれぞれ融着し、不織布同士が非融着部からなる導通路を構成した排気構造付袋体からなり、係る発明によっても解決できる。
或いは、請求項３に係る発明の様に不織布を挟み込む一辺部が袋体の上辺部である排気構造付袋体でもよい。
これらの場合、請求項４に係る発明のように上辺部に取っ手の孔を有し、少なくとも該孔の周囲がプラスチックフィルムと不織布の融着部によって構成する排気構造付袋体でもよい。
【００１１】
これらの他、請求項５に係る発明の様に不織布を挟み込む一辺部が袋体の側辺部であっても、或いは、請求項６に係る発明の様に不織布を挟み込む一辺部が袋体の底辺部であってもよい。
更に、請求項７に係る発明の様に袋体内部から外部に連通する非融着部からなる導通路を略直線状に構成しても、或いは請求項８に係る発明の様に袋体内部から外部に連通する非融着部からなる導通路を略曲線状に構成しても、請求項９に係る発明の様に袋体内部から外部に連通する非融着部からなる導通路を屈曲状に構成しても良い。
【発明の効果】
【００１２】
以上のように構成したことから、まず請求項１に係る発明に係る発明によって、袋体内に商品を密封した後に袋体内に残余した気体や液体を簡単かつ効率よく袋外に排出できるものであり、特に袋体内の気体等を袋体内導通路を介して導通路に導き、更に外部に排出できるものである。
更に袋体内から袋体内導通路へ導くに際して不織布によって細かい粉類等まで袋体内に留め置くことができ、この不織布の目を任意に設定することによって希望する大きさの商品を気体類と分離して袋体内に残すことができる。
したがって、一定の大きさを有するものの他、米などの粒状物や小麦粉類などの粉類を袋体内に入れた場合でも、不必要な空気等について該粉類を袋体内に残した状態で外部に排出できる。
【００１３】
更にこの不織布の目や厚みを任意に設定することによって袋体内に残すべき固体類の大きさの設定なども可能である。
又、係る排気構造付袋体の製造は容易であってかつ大量生産に向くものであると共に低廉にて製造できるという大きなメリットも有する。
次に請求項２に係る発明によって導通路を容易に構成できると共に袋体の骨格をより強固に構成できるものとなる。
【００１４】
又、請求項３に係る発明によって上辺部からの排気を可能とするものであり、更に請求項４に係る発明によって取っ手付の袋体の提供を可能とする。
この場合取っ手の周囲には融着部が存在するものであると共に該融着部は表裏のフィルムと折り返した二つ折りの不織布が一体として融着しているものであって、極めて強固なものとなり袋体内に重量物を入れた場合であっても取っ手は変形しにくくなることから極めて持ちやすい取っ手を有する袋体の提供を可能とする。
【００１５】
更に、請求項５に係る発明や請求項６に係る発明によって、排気構造を袋体の側辺でもあるいは底辺でも配設できることとなる。
請求項７乃至請求項９に係る各発明によって、導通路を任意形状にて構成できるものであって、袋体の形状や内容物の形状或いはデザイン性などを考慮して任意の導通路の構成を可能とするものである。
特に排気効率を考慮することも、或いは商品ごとに応じた導通路の構成等ができることとなる。
【発明を実施するための最良の形態】
【００１６】
図１は、本発明に係る排気構造付袋体の一例を示す図である。
まず本図に示す袋体本体は２枚のプラスチックフィルム１、２をもって構成するものであり、両側辺４と底辺５が該両フィルムを融着することによって、シールした両側辺部４０と底辺部５０とを形成している。
更に上辺部３０には、該２枚の表裏を構成するプラスチックフィルム１、２の間に折り込んだ不織布６を挟んだ状態で特定の箇所が融着していると共にその中央部分に提げ手用の孔３９を有している。
以上のように構成することにより該２枚の表裏のプラスチックフィルム１、２及び底辺部５０・両側辺部４０・上辺部３０によってそれぞれ構成される中央部分に収納部７を有する袋体が構成できるものである。
【００１７】
この場合、２枚の表裏のプラスチックフィルム１、２として本発明の排気構造付袋体の一例を明示するが、これに限らずプラスチックフィルムを折り込んでその一辺を融着部ではなく折り込み部で同様に表裏面を有する袋体形状に構成するものであってもよい。
尚、本図構成に示す袋体は四辺共に閉じた状態で構成されているが、例えば底辺部５０や側辺部４０を未融着状態で残し、袋体内の収納部分７に商品を入れた後、該辺部を融着或いは接着等によって密封するものであってももちろんよい。
この様に構成する上辺部３０に関し、まずプラスチックフィルム１、２間には不織布６が挟まれているものである。
【００１８】
この挟まれた不織布６は、折り込み構成即ち２つに折り込んで、その折り目６１部分を袋体内部に位置させ、袋体外部方向の上辺部３端部は２枚の不織布が重なって２枚のプラスチックフィルム１、２に挟まれた状態で構成されるものである。
該袋体の上辺部分３０の２枚のプラスチックフィルム１、２間に挟まれた折り込んだ２つ折の不織布６は、これらを任意箇所で必要な部分同士を融着して上辺部３０の融着部３２を構成するが、袋体内部から外部にかけて非融着部からなる導通路３１を少なくとも一列以上有するものである。
即ち本図においては略直線状に袋体内部から外部にかけて連通する導通路３１を有するものである。
【００１９】
本図構成においては取っ手の孔３９を挟んで両側方向にそれぞれ３列ずつ非融着部よりなる導通路３１を有する。
この場合、不織布の折り目部分は全て袋体内部に位置するものであり、その折り目である折り込み部６１周辺は上辺部３０の融着部３２から外れており、袋体内部に非融着状態として形成されている。
従って、袋体内の収納部７に内容物を封入した後、袋体開口部を密封し、内部空気を外部に排出するに際しては、袋体内部にある不織布６の折り目部分である折り込み部６１全体から不織布の厚み方向に通過し、その後、折り目に沿った非融着部からなる袋体内導通路６２を通り、更に略直線状に非融着部を袋体内部から外部にかけて形成した導通路３１内を通って袋体外部に排出されるものである。
【００２０】
即ち不織布６の一連の折り目部分６１は袋体内部に位置して融着されていないものであり、袋体内部の気体や液体はこの不織布６の厚み方向を通過し、更に折り目である折り込み部６１の内側と袋体の上辺部３０の融着部３２との間にできている折り目である折り込み部６１に沿った非融着部からなる袋体内導通路６２を通り、次に袋体内部から外部に非融着部によって形成した導通路３１を通って袋体外部に排出されるものである。
この様に構成することによって、極めて簡単に袋体内部の空気などを外部に排出できるものである。
更に、折り目である折り込み部６１の内側と袋体の上辺部３０の融着部３２との間にできている折り目に沿った非融着部によって形成される袋体内導通路６２から非融着部によって形成される導通路３１との連接部分即ち融着部３２の袋体内部の導通路３１の周囲は略弧状に融着部３２を形成するものである。
【００２１】
即ち弧状に形成することによって折り目である折り込み部６１の内側と袋体の上辺部３０の融着部３２との間にできている折り目である折り込み部６１に沿った非融着部の袋体内導通路６２から導通路３１への流れをスムーズにし、排出効率を高めることができる。
又、非融着部よりなる導通路３１に関しては、本図構成は挟まれた不織布６同士が非融着であり、本図においては導通路の袋体側の弧状の融着部近傍において不織布６とその外側に位置するそれぞれのプラスチックフィルム１、２の一とが一部融着しているものである。
即ちプラスチックフィルムと不織布の融着部３３を構成するものである。
これにより不織布６同士は非融着であるが袋体の上辺部３０においてプラスチックフィルム１、２と不織布６とが融着し、袋体内部と外部は不織布６を介して連通するものとなる。
【００２２】
次に該不織布６に関しては、例えば布地の目の細かい不織布６を用いることによって例えば数十ミクロン程度以上の例えば粉体類を外部に漏れることなく袋目体内に留めおくことが可能であり、更には不織布６の厚みや目の細かさを適宜調整することによって数十ミクロン以下の極めて細かい粉体等を不織布６によって外部に漏れないように留めおくこともできる。
以上のように、袋体内に外部に漏れやすい粉体等を封入した場合であっても、空気類だけを効率よく排出することもできるものである。
特に、該排出に際しては例えば袋体を周囲から押し又は絞り込み、或いは導通路３１方向に内部空気などを集めるようにして外部に排出すればよく、簡単にかつ誰でも効率よく排出できるものである。
【００２３】
更に、取っ手部分３９の周囲は少なくとも２枚のプラスチックフィルム１、２と折り込んで２枚形状となった不織布６、６とを併せて融着するものであることから極めて強固に取っ手３９の周囲を形作ることができ、該取っ手３９を使用して袋体を持ち上げた場合でもこの取っ手３９周囲の融着部３２と共に前記プラスチックフィルムと不織布の融着部３３及び側辺の融着部４０等によって袋体の形が崩れることを極力防ぐことができる。
もとより取っ手３９周辺の融着部３２によって取っ手３９の形状を型崩れなく維持する効果を有するものであり、これとプラスチックフィルムと不織布の融着部３３とによって、及び周囲の融着部３２によって上辺部３０の形状の型崩れの防止ができる。
【００２４】
尚、本図において取っ手３９を有する構成を示すが、もとより取っ手３９を有しないものでもよい。
更に上辺部３０に不織布６を有するが、この上辺部３０に限らず、側辺部４０にだけ或いは底辺部５０にだけ、不織布６を有すると共に非融着部よりなる袋体内導通路と導通路を有する構成を有するものであってもよい。
又、いずれか一の箇所に有するのではなく上辺部３０と側辺部４０等の複数個所の組み合わせであってもよい。
又、導通路は、本図のように６箇所に限るのではなく任意の箇所有するものであってよい。
又、非融着部よりなる導通路３１における不織布６とその外側のフィルムとの溶着に関しては、図示する袋体の上辺部３０の内部方向に一部融着部３３を有する構成に限らず導通路３１全体に亘って不織布とその外側に位置するプラスチックフィルムとが融着して融着部を３３構成するものであってもよい。
【００２５】
図２は、図１のＡ−Ａ線断面図のフィルムや不織布の厚みを強調して示した図であり、袋体を構成するプラスチックフィルム１、２の底部５はそれぞれが融着して底辺部５０を形成し、更に上辺部３０は両プラスチックフィルム１、２の間に不織布６が折り込まれて配設している。
尚、本明細書上不織布６が折り込まれているという表示は折り目である折り込み部６１をもって折りたたまれている状態だけを指すものではなく、これと共に更に折り目を有さずに本図のように曲線にて折り曲げ部６１をもって二つに折り曲げられているものであっても含まれるものであり、具体的な折り目の有無を問わないものである。
したがって折り込み構成でも折り曲げ構成でもよく、折り目の有無を問わない。
【００２６】
この様に、不織布６を有することによって、袋体の内部方向の該不織布６の屈曲又は折り込み部分は何ら融着していないものであり、不織布６の厚み方向に袋体内部の気体や液体が通過することができる。
更に、これに続く不織布６の２つ折りの間における非融着部は導通路３１を構成することから該導通路に沿って袋体外部に気体や液体が排出できる。
又、導通路３１における不織布６とその外側に位置するフィルムとは、それぞれ融着して融着部３３を構成するが、本図においてはこの融着部３３は袋体の上辺部３０の内部方向において設けられ、開口部方向は非融着部をもって形成している。
したがって袋体の内部と外部とは袋体の上辺部３０の不織布６の袋体内部の非融着部によって区分けをされるものであり、この不織布６を通過する気体類や液体類は外部に送り出すことができ、この不織布６の目によって遮られる粉類等の固体類は袋体内に残る。
更に不織布６を通して通気できるものであり、通気を行なうのに際して極めて簡単かつ効率よく行なうことができる。
【００２７】
図３は、図２に代えて、袋体の上辺部３０の導通路３１全体で表側のプラスチックフィルム１と表側の不織布６とが融着し、更に裏側のプラスチックフィルム２と裏側の不織布６とがそれぞれ融着し、不織布６、６同士は非融着である本発明に係る排気構造付袋体の一例を示す。
本図に示す構成であっても、前記と同様に袋体の内部方向の該不織布６の折り曲げ又は折り込み部分６１によって形成される袋体内導通路６２は何ら融着していないものであり、不織布の厚み方向で袋体内部の気体や液体が通過することができ、更にこれに続く不織布の２つ折りの間における非融着部の導通路３１に沿って袋体外部に気体や液体が排出できる。
以上のように極めて効率的に袋体内部の気体や液体を外部に排出できる。
更に、この不織布６によって袋体内部に微粒物例えば粉体などを封入した場合であっても、不要な空気のみを排出でき、粉体は不織布６で袋体内部に封入しておくことができる。
【００２８】
図４は、図１のＢ−Ｂ線断面図のフィルムや不織布の厚みを強調して示した図であり、袋体を構成するプラスチックフィルム１、２の底部５はそれぞれが融着して底辺部５０を形成し、更に上辺部３０は両プラスチックフィルム１、２の間に不織布６が折り込まれて、これらが一体に融着して融着部３２を形成している。
但し、この融着部３２の下部即ち袋体内部の融着部下部は不織布６の折り曲げ部分或いは折り込み部分６１が融着せずに融着部３２の端辺部に沿って袋体内導通路６２を構成している。
即ち、折り曲げ又は折り込み部分６１の内側と袋体の上辺部３０の融着部３２との間にできている折り曲げ又は折り込み部に沿った非融着部からなる袋体内導通路６２が袋体の上辺部３０を形作る端辺沿いに亘って袋体内導通路６２を形作りこの間を通気可能としている。
【００２９】
図５は、袋体上辺部３０に形成した非融着部からなる導通路３１を傾斜した直線部にて構成した一例を示し、図６は導通部３１を曲線を持って形成した一例を示す図である。
尚、これらの図においても袋体内導通路６２を有するものである。
図７は、袋体の非融着部からなる導通路４１を袋体上辺部４０ではなく、側辺部４０に構成した本発明に係る袋体の一例を示す図である。
本図に示すように、袋体の上辺部３０に限らず側辺部４０に設けたものであってもよい。
この様に構成しても側辺部４０の不織布６の折り曲げ又は折り込み部分６１の内側と袋体の側辺４の融着部４２との間にできている折り曲げ又は折り込み部６１に沿った非融着部よりなる袋体内導通路６２を気体や液体が通った上で、側辺部４０に設けた非融着部からなる袋体外部に連通する導通路４１を通って外部に排出される。
【００３０】
この場合、袋体の側辺部４０の導通路４１の袋体内部方向において表側のプラスチックフィルム１と表側の不織布６とが融着し、更に裏側のプラスチックフィルム２と裏側の不織布６とがそれぞれ融着し、融着部４３を構成している。
この融着部４３は、導通路４１全体に亘って構成したものであってももちろんよい。
更に両側辺部に導通路構成を設けたものであっても、或いは取っ手のない構成であってもよい。
図８は、同じく不織布６同士が非融着によって構成する導通路４１を袋体の一側辺に設けた構成であり、導通路４１を直線又は曲線ではなく屈曲形状とした一例を示す。
【００３１】
本構成のように形成とした場合であっても、不織布６を２つに折り曲げ又は折り込んで側辺部の必要か所でフィルム間に融着して融着部４２を形成し、更に不織布６の該折り曲げ又は折り込み部分６１を融着せず、袋体内部に突出して位置させることにより、充分に通気性や通水性を保つ袋体内導通路６２を有し、袋体内部の気体や液体を外部に排出できる。
尚、この場合も同様に袋体の側辺部４０の導通路４１の袋体内部方向において表側のプラスチックフィルム１と表側の不織布６とが融着し、更に裏側のプラスチックフィルム２と裏側の不織布６とがそれぞれ融着し、融着部４３を構成している。
この融着部４３は、導通路４１全体に亘って構成したものであっても、両側辺部に導通路構成を設けたものであっても、或いは取っ手のない構成であってもよい。
【００３２】
図９は、図１に示す本発明に係る排気構造付袋体の他の一例を示す図である。
袋体上辺部３０の導通路３１を取っ手をはさんで左右方向にそれぞれ２箇所ずつ設け、更にこの袋体の底部５を開口部として用いた一例を示す図である。
本図に示すように該袋体には開口部を有することから、底部５の該開口部から商品例えば米などを袋体内部に入れる。
その後、袋体の底部を融着して開口部を封鎖する。
【００３３】
図１０は、該袋体内の米Ｘを封入して底部５を密封して底辺部５０を形成した状態を示す図である。
この様に袋体内に米Ｘを封入し、更に底部５を融着して底辺部５０を形成して密封した後に、この袋体内部の封鎖に伴って一緒に袋体内に封入されている空気を不織布６の袋体内部に突出している折り込み又は折り曲げ部分６１と袋体の上辺部３０の融着部３２との間にできている非融着部からなる袋体内導通路６２方向に押し集め、さらに上辺部３０に形成した非融着部によって形作られた導通路３１に集めた上で袋体内部から外部に排出するものである。
以上のように簡単かつ確実には脱気あるいは排気が行なえるものである。
【００３４】
図１１は、本発明の他の一例を示す図であり、袋体の両側辺部４０に不織布６をそれぞれ折り込んで挟み込み、不織布６の袋体内導通路６２を非融着とし、更に袋体側辺部４０の内部から外部に亘って側辺を形作るために表裏フィルムと折り込んだ不織布全体を融着する融着部４２に設け、更に融着部４２間に袋体内部から外部にかけて連通する不織布６とその外側に位置するフィルム１、２とをそれぞれ融着するが不織布同士は非融着の導通路４１を有するものである。
この場合袋体の上部３の端辺部分は融着３８して所謂封鎖状態となっている。
反面底辺４は開口部となっており、袋体内に該部分から商品を入れることができ、商品を 入れた後に底辺を融着などによって底辺部の融着部５０を形成し密封すれば袋体の閉鎖ができる。
【００３５】
この様に構成された袋体の側辺部４０の導通路４１は不織布６とその外側に位置するプラスチックフィルムとが融着しているものであり、更に袋体内導通路６２は非融着となっている。
係る導通路３１においては、略Ｌ字状に形成されていると共に等間隔に本図では９個並んで設けられている。
本図構成は一例であり、導通路の形状や個数、或いは配設位置や間隔は任意であり、他の構成をもってももちろんよい。
以上の構成により側辺部において袋体内の気体や液体を袋体封鎖後に外部に排出することができると共に、粉体など微細な商品類などをも不織布によって袋体内に留めおくことができる。
【図面の簡単な説明】
【００３６】
【図１】本発明に係る排気構造付袋体の一例を示す図
【図２】図１のＡ−Ａ線断面図
【図３】本発明に係る排気構造付袋体の他の一例の断面図
【図４】図１のＢ−Ｂ線断面図
【図５】本発明に係る排気構造付袋体の他の一例を示す図
【図６】本発明に係る排気構造付袋体の他の一例を示す図
【図７】本発明に係る排気構造付袋体の他の一例を示す図
【図８】本発明に係る排気構造付袋体の他の一例を示す図
【図９】本発明に係る排気構造付袋体の他の一例を示す図
【図１０】図９に示す袋体に内容物を封入して底辺部を封鎖した状態の一例を示す図
【図１１】本発明に係る排気構造付袋体の他の一例を示す図
【符号の説明】
【００３７】
１      プラスチックフィルム
２      プラスチックフィルム
３      上辺
３０    上辺部
３１    導通路
３２    融着部
３３    プラスチックフィルムと不織布の融着部
３９    取っ手
４      側辺
４０    側辺部
４１    導通路
４２    融着部
４３    プラスチックフィルムと不織布の融着部
５      底辺
５０    底辺部
６      不織布
６１    折り目である折り込み部（折り曲げ部）
６２    袋体内導通路
７      収納部
Ｘ      米
【図１】
2009023683.tif 000003
【図２】
2009023683.tif 000004
【図３】
2009023683.tif 000005
【図４】
2009023683.tif 000006
【図５】
2009023683.tif 000007
【図６】
2009023683.tif 000008
【図７】
2009023683.tif 000009
【図８】
2009023683.tif 000010
【図９】
2009023683.tif 000011
【図１０】
2009023683.tif 000012
【図１１】
2009023683.tif 000013